(57)【要約】【課題】保守作業が行いやすい画像形成装置、シート搬送装置、及びシート供給装置を提供する。【解決手段】画像形成装置１０は、シートを搬送する搬送ロール７０と、搬送ロール７０に当接してシートが通過するニップＮを形成する対向ロール７２と、搬送ロール７０に駆動を伝達する駆動伝達系９０とを有している。搬送ロール７０は、対向ロール７２に当接する第１の位置と対向ロール７２から離間する第２の位置との間で移動できるように支持部材１１０に支持されている。搬送ロール７０が第１の位置と第２の位置との間で移動しても、搬送ロール７０の軸１００に取り付けられたウォームホイール９８と、ウォームホイール９８に駆動を伝達するウォームギア９６とは互いに噛み合った状態が保たれる。【選択図】図５
2008044712.tif 000002
【特許請求の範囲】
【請求項１】
シートを搬送する搬送ロールと、
このシート搬送ロールに当接して、シートが通過するニップを形成するニップ形成部材と、
前記搬送ロールに連結され、前記搬送ロールに駆動を伝達する駆動伝達手段と、
前記搬送ロールを、前記駆動伝達手段に連結された状態のままで、前記ニップ形成部材に当接する第１の位置と前記ニップ形成部材から離間する第２の位置との間で移動可能に支持する支持手段と、
を有することを特徴とする画像形成装置。
【請求項２】
画像形成装置本体に設けられた開閉扉と、
この開閉扉を開くことに連動して前記搬送ロールを第２の位置へと移動させ、前記開閉扉を閉じることに連動して前記搬送ロールを第１の位置へと移動させる移動手段と、
をさらに有することを特徴とする請求項１記載の画像形成装置。
【請求項３】
前記駆動伝達手段は、
前記搬送ロールの軸に連結された第１の駆動伝達部材と、
この第１の駆動伝達部材に駆動を伝達する第２の駆動伝達部材と、
を有し、
前記搬送ロールは、前記第２の駆動伝達部材の軸を回動支点とする回動をして、第１及び第２の位置の間を移動することを特徴とする請求項１又は２記載の画像形成装置。
【請求項４】
前記第１の駆動伝達部材はウォームホイールからなり、前記第２の駆動伝達部材はウォームギアからなることを特徴とする請求項３記載の画像形成装置。
【請求項５】
前記第１及び第２の駆動伝達部材は、ぞれぞれ傘歯ギアからなることを特徴とする請求項３記載の画像形成装置。
【請求項６】
前記搬送ロールを複数有し、
前記駆動伝達手段は、複数の前記搬送ロールに同時に駆動を伝達することを特徴とする請求項１乃至５いずれか記載の画像形成装置。
【請求項７】
前記開閉扉は、前記第２の駆動伝達部材の回転軸から離間した位置に設けられた回動支点に支持されていることを特徴とする請求項２記載の画像形成装置。
【請求項８】
前記移動手段は、
前記支持手段に設けられた係合部と、
前記開閉扉に設けられ、前記係合部と係合し、前記開閉扉の開閉に連動して前記支持手段を移動させる被係合部と、
を有することを特徴とする請求項２乃至７いずれか記載の画像形成装置。
【請求項９】
前記係合部又は前記被係合部の一方が突起からなり、他方が前記突起挿入され、前記突起の移動をガイドする溝からなることを特徴とする請求項８記載の画像形成装置。
【請求項１０】
シートを搬送する搬送ロールと、
このシート搬送ロールに当接して、シートが通過するニップを形成するニップ形成部材と、
前記搬送ロールに連結され、前記搬送ロールに駆動を伝達する駆動伝達手段と、
前記搬送ロールを、前記駆動伝達手段に連結された状態のままで、前記ニップ形成部材に当接する第１の位置と前記ニップ形成部材から離間する第２の位置との間で移動可能に支持する支持手段と、
を有することを特徴とするシート搬送装置。
【請求項１１】
シートを搬送する搬送ロールと、
このシート搬送ロールに当接して、シートが通過するニップを形成するニップ形成部材と、
前記搬送ロールに連結され、前記搬送ロールに駆動を伝達する駆動伝達手段と、
前記搬送ロールを、前記駆動伝達手段に連結された状態のままで、前記ニップ形成部材に当接する第１の位置と前記ニップ形成部材から離間する第２の位置との間で移動可能に支持する支持手段と、
を有することを特徴とするシート供給装置。
【請求項１２】
画像形成装置本体に供給されるシートが積層されて収容されたシート収容部と、
このシート収容部の収容された最上位のシートを送り出す送り出し手段と、
この送り出し手段により送り出されたシートを前記画像形成装置本体へ向けて搬送する搬送ロールと、
この搬送ロールに当接して、シートが通過するニップを形成するニップ形成部材と、
前記搬送ロールに連結され、前記搬送ロールに駆動を伝達する駆動伝達手段と、
前記搬送ロールを、前記駆動伝達手段に連結された状態のままで、前記ニップ形成部材に当接する第１の位置と前記ニップ形成部材から離間する第２の位置との間で移動可能に支持する支持手段と、
を有することを特徴とするシート供給装置。
【請求項１３】
画像形成装置本体の重力方向下方に設置されて用いられ、
前記搬送ロールは、シートを略鉛直上方に搬送することを特徴とする請求項１２記載のシート供給装置。
【発明の詳細な説明】
【技術分野】
【０００１】
本発明は、複写機、ファクシミリ、プリンタ等の画像形成装置、主にこれらに用いられるシート搬送装置及びシート供給装置に関する。
【背景技術】
【０００２】
この種の画像形成装置、シート搬送装置、及びシート供給装置に用いられる技術であって、シートを搬送する搬送ロールと、搬送ロールに当接してシートが通過するニップを形成する例えば対向ロール等対向部材とを有する技術が知られている（特許文献１）。
【０００３】
【特許文献１】特開２８０５１９６号
【発明の開示】
【発明が解決しようとする課題】
【０００４】
しかしながら、従来の技術では、搬送ロールとニップ形成部材とに挟まれた状態でシートの搬送不良が生じると、このシートの除去が行いにくい等、保守作業が行いにくいことがあった。特に、搬送ロールとニップ形成部材とが当接する力が大きい場合や、厚紙等の湾曲しにくいシートを用いる場合に保守作業が行いにくい。
【０００５】
本発明は、従来よりも保守作業を行いやすい画像形成装置、シート搬送装置、及びシート供給装置を提供することを目的とする。
【課題を解決するための手段】
【０００６】
本発明の特徴とするところは、シートを搬送する搬送ロールと、このシート搬送ロールに当接して、シートが通過するニップを形成するニップ形成部材と、前記搬送ロールに連結され、前記搬送ロールに駆動を伝達する駆動伝達手段と、前記搬送ロールを、前記駆動伝達手段に連結された状態のままで、前記ニップ形成部材に当接する第１の位置と前記ニップ形成部材から離間する第２の位置との間で移動可能に支持する支持手段と、を有する画像形成装置にある。
【０００７】
好適には、画像形成装置本体に設けられた開閉扉と、この開閉扉を開くことに連動して前記搬送ロールを第２の位置へと移動させ、前記開閉扉を閉じることに連動して前記搬送ロールを第１の位置へと移動させる移動手段とをさらに有する。
【０００８】
また、好適には、前記駆動伝達手段は、前記搬送ロールの軸に連結された第１の駆動伝達部材と、この第１の駆動伝達部材に駆動を伝達する第２の駆動伝達部材と、
を有し、前記搬送ロールは、前記第２の駆動伝達部材の軸を回動支点とする回動をして、第１及び第２の位置の間を移動する。
【０００９】
また、好適には、前記第１の駆動伝達部材はウォームホイールからなり、前記第２の駆動伝達部材はウォームギアからなる。
【００１０】
また、好適には、前記第１及び第２の駆動伝達部材は、ぞれぞれ傘歯ギアからなる。
【００１１】
また、好適には、前記搬送ロールを複数有し、前記駆動伝達手段は、複数の前記搬送ロールに同時に駆動を伝達する。
【００１２】
また、好適には、前記開閉扉は、前記第２の駆動伝達部材の回転軸から離間した位置に設けられた回動支点に支持されている。
【００１３】
また、好適には、前記移動手段は、前記支持手段に設けられた係合部と、前記開閉扉に設けられ、前記係合部と係合し、前記開閉扉の開閉に連動して前記支持手段を移動させる被係合部とを有する。
【００１４】
また、好適には、前記係合部又は前記被係合部の一方が突起からなり、他方が前記突起挿入され、前記突起の移動をガイドする溝からなる。
【００１５】
また、本発明の第２の特徴とするところは、シートを搬送する搬送ロールと、このシート搬送ロールに当接して、シートが通過するニップを形成するニップ形成部材と、前記搬送ロールに連結され、前記搬送ロールに駆動を伝達する駆動伝達手段と、前記搬送ロールを、前記駆動伝達手段に連結された状態のままで、前記ニップ形成部材に当接する第１の位置と前記ニップ形成部材から離間する第２の位置との間で移動可能に支持する支持手段と、を有するシート搬送装置にある。
【００１６】
また、本発明の第３の特徴とするところは、シートを搬送する搬送ロールと、このシート搬送ロールに当接して、シートが通過するニップを形成するニップ形成部材と、前記搬送ロールに連結され、前記搬送ロールに駆動を伝達する駆動伝達手段と、前記搬送ロールを、前記駆動伝達手段に連結された状態のままで、前記ニップ形成部材に当接する第１の位置と前記ニップ形成部材から離間する第２の位置との間で移動可能に支持する支持手段と、を有するシート供給装置にある。
【００１７】
また、本発明の第４の特徴とするところは、画像形成装置本体に供給されるシートが積層されて収容されたシート収容部と、このシート収容部の収容された最上位のシートを送り出す送り出し手段と、この送り出し手段により送り出されたシートを前記画像形成装置本体へ向けて搬送する搬送ロールと、この搬送ロールに当接して、シートが通過するニップを形成するニップ形成部材と、前記搬送ロールに連結され、前記搬送ロールに駆動を伝達する駆動伝達手段と、前記搬送ロールを、前記駆動伝達手段に連結された状態のままで、前記ニップ形成部材に当接する第１の位置と前記ニップ形成部材から離間する第２の位置との間で移動可能に支持する支持手段と、を有するシート供給装置にある。
【００１８】
また、好適には、画像形成装置本体の重力方向下方に設置されて用いられ、前記搬送ロールは、シートを略鉛直上方に搬送する。
【発明の効果】
【００１９】
本発明によれば、従来よりも保守作業が行いやすい画像形成装置、シート搬送装置、及びシート供給装置を提供することができる。
【発明を実施するための最良の形態】
【００２０】
次に本発明の実施形態を図面に基づいて説明する。
図１には、本発明の実施形態に係る画像形成装置１０の概要が示されている。画像形成装置１０は、筺体１２を有し、筺体１２の上部に排出部１６が設けられているとともに、筺体１２内に画像形成手段１４と、第１のシート供給装置１８とが搭載されている。筺体１２の重力方向下方には、第２のシート供給装置６０が設けられている。
【００２１】
画像形成手段１４は電子写真方式のもので、像担持体として用いられるドラム形状の感光体２８と、この感光体２８を一様帯電する帯電装置３０と、この帯電装置３０により帯電された感光体２８に光により潜像を書き込む光書き込み装置３２と、この光書き込み装置３２により形成された感光体２８の潜像を現像剤により可視化する現像ロール３５を備えた現像装置３４と、この現像装置３４により可視化された現像剤像をシートに転写する例えば転写ロールからなる転写装置３６と、感光体２８に残存する現像剤をクリーニングするクリーニングブレード３７を備えたクリーニング装置３８と、転写装置３６により転写されたシート上の現像剤像をシートに定着させる定着装置４０とから構成されている。画像形成手段１４を構成する部材のうち、感光体２８、帯電装置３０、現像装置３４及びクリーニング装置３８は、プロセスカートリッジ４６として一体化され交換できるようになっている。光書き込み装置３２は例えば走査型のレーザ露光装置からなり、プロセスカートリッジ４６を横切り、感光体２８に潜像を形成する。なお、光書き込み装置３２は、他の実施形態としてＬＥＤや面発光レーザ等を用いることができる。
【００２２】
第１のシート供給装置１８は、シートが積層されて収容され、シート収納部として用いられるシート供給カセット１９と、シート供給カセット１９に収納された最上位のシートを送り出す送り出しロール２０と、送り出しロール２０により送り出されたシートを搬送するフィードロール２１と、シートを捌いてシートの重送を防止するリタードロール２２とを有し、シート供給カセット１９に収納されているシートを前述の画像形成手段１４へと供給する。
【００２３】
フィードロール２１のシート搬送方向下流にはレジストロール２４が設けられ、このレジストロール２４の下流側には、前述の転写装置３６と感光体２８とが設けられ、さらに下流側には前述の定着装置４０が設けられている。
【００２４】
第２のシート供給装置６０は、画像形成装置本体として用いられる筺体６２を有し、筺体６２内に４個のシート供給カセット６４、６４、６４、６４が収容されている。シート供給カセット６４は、それぞれがシート収容部として用いられ、例えば普通紙等のシートが積層されて収容されている。シート供給カセット６４には、シート供給カセットに収容された最上位のシートを送り出す送り出し手段として用いられる送り出しロール６６がそれぞれ設けられている。各送り出しロール６６は、シートを搬送路６８へと送り出す。
【００２５】
搬送路６８は、各給紙カセット６４から送り出されたシートが、先述のレジストロール２４まで略鉛直上方に搬送される搬送路である。搬送路６８に沿って、４個の搬送ロール７０、７０、７０、７０が設けられている。搬送ロール７０は、それぞれ送り出しロール６６よりも重力方向上方に設けられ、送り出しロール６６から送り出されたシートをレジストロール２４に向けて搬送する。送り出しロール６６と搬送ロール７０との間に、第１のシート供給装置１８と同様に、それぞれフィードロールとリタードロールとを設けても良い。
【００２６】
搬送ロール７０には、シート供給カセット６４の側から対向ロール７２がそれぞれ当接している。対向ロール７２は、搬送ロール７０に当接してニップＮを形成するニップ形成部材として用いられ、それぞれ搬送ロール７０に従動して回転するようになっている。搬送ロール７０に当接して搬送路６８上に位置するニップＮを形成する部材であれば、対向ロール７２替えて、例えば摺動パット等を用いても良い。また、対向ロール７２を搬送ロール７０に従動するように構成することに替えて、搬送ロール７０と独立して駆動するように構成しても良い。
【００２７】
筺体６２の図１における右側には、開閉扉７６が設けられている。開閉扉７６は後述する軸に支持されながら回転することで開閉し、開閉扉７６が開かれると、搬送ロール７０及び対向ロール７２が、それぞれ筺体６２の外に露出された状態となる。
【００２８】
以上のように構成された画像形成装置１０では、感光体２８が帯電装置３０により一様に帯電され、この帯電された感光体２８に、画像信号に基づいて光書き込み装置３２から発した光が照射されて潜像が形成され、この潜像が現像装置３４の現像剤により現像されて現像剤像が形成される。一方、シート供給カセット１９、４個のシート供給カセット６４のいずれかが選択され、シート供給カセット１９が選択された場合は、シート供給カセット１９に収容されたシートが、送り出しロール２０によりピックアップされ、フィードロール２１により送り出され、リタードロール２２により捌かれ、レジストロール２４へと搬送される。また、４個のシート供給カセット６４のいずれかが選択された場合は、シートが送り出しロール６６により送り出され、搬送ロール７０によりレジストロール２４へ搬送される。レジストロール２４に搬送されてシートは、レジストロール２４により一時停止され、レジストロール２４がタイミングを取って回転を開始することで、転写装置３６と感光体２８との間に導かれる。このようにしてシートが転写装置３６と感光体２８との間に導かれると、感光体２８上の現像剤像が転写装置３６によりシートに転写される。この現像剤像が転写されたシートは、定着装置４０を通って排出部１６へ排出される。
【００２９】
図２には、シート供給装置６０が示されている。図２に示されるように、筺体６２の手前側には、４個の引き出し部７８、７８、７８、７８が取り付けられている。引き出し部７８には、それぞれ把手８０が設けられていて、把手８０を用いて前側に引き出すことができるようになっている。引き出し部７８には、それぞれシート供給カセット６４（図１参照）が装着されていて、引き出し部７８を引き出すことで、シート供給カセット６４が筺体６２から引き出された状態となり、この状態でシート供給カセット６４にシートの補給がなされる。
【００３０】
筺体６２の上向きの面には、位置決め手段として用いられる４個の突起８２、８２、８２、８２が設けられている。突起８２は、筺体１２（図１参照）の下側の面に設けられ、被位置決め手段として用いられる孔（不図示）に係合し、筺体１２を筺体６２に対して位置決めする。また、筺体６２の上向きの面には、シートが通過する通過孔８４が形成されている。搬送ロール７０（図１参照）により略延長上方に搬送されたシートは、通過孔８４を通過してレジストロール２４（図１参照）方向へと搬送される。先述の開閉扉７６は、軸８６を用いて筺体６２に取り付けられていて、軸８６を回動支点として筺体６２に対して開閉する。
【００３１】
以上のように構成された画像形成装置１０においては、搬送ロール７０と対向ロール７２とで形成されるニップＮに挟まれた状態でシート搬送不良が生じることがある。この場合、開閉扉７６を開くことにより搬送ロール７０と対向ロール７２とを筺体６２から露出した状態とできるものの、搬送ロール７０と対向ロール７２と挟まれたシートを除去することは必ずしも簡単ではない。特に、搬送ロール７０と対向ロール７２とが強く圧接されている場合や、厚紙等の湾曲しにくいシートが用いられている場合は、シートの除去が難しく、保守作業が行いにくいことが多い。そこで、この画像形成装置１０では、搬送ロール７０を支持する構成や、搬送ロール７０に駆動を伝達する構成を工夫することで、たとえ搬送ロール７０と対向ロール７２との間でシート搬送不良が生じても、シートを除去しやすく、保守作業を行いやすいようにしている。
【００３２】
図３には、搬送ロール７０、７０、７０、７０に駆動を伝達する駆動伝達系９０が示されている。駆動伝達系９０は、駆動伝達手段として用いられ、例えばモータ等からなる駆動源９２と、駆動源９２からの駆動伝達を受けて回転する回転軸９４とを有している。駆動源９２の駆動は、ギア１０２と、回転軸９４の上端部近傍に設けられたギア１０４とを介して回転軸９４に伝達される。回転軸９４は筺体６２（図１、図２参照）に略垂直に回動自在に取り付けられている。回転軸９４には、第２の駆動伝達手段として用いられるウォームギア９６、９６、９６、９６が取り付けられている。ウォームギア９６は、第１の駆動伝達部材として用いられる４個のウォームホイール９８にそれぞれが噛み合っている。ウォームホイール９８は、それぞれ搬送ロール７０の軸１００に連結されている。搬送ロール７０は、それぞれ二つの部分７０ａ、７０ｂに分かれていて、二つの部分７０ａ、７０ｂの両方が軸１００に取り付けられている。対向ロール７２は、それぞれ二つの部分７２ａ、７２ｂに分かれていて、それぞれ搬送ロール７０の二つの部分７０ａ、７０ｂに当接している。
【００３３】
回転軸９４にウォームギア９６、９６、９６、９６を取付け、軸１００にウォームホイール９８をそれぞれ取り付けることに替えて、回転軸９４に４個の傘歯ギアを取付け、これらの傘歯ギアに噛み合う傘歯ギアを軸１００にそれぞれ取り付けても良い。
【００３４】
駆動伝達系９０では、駆動源９２から駆動が伝達されることで回転軸９４が回転し、回転軸９４に取り付かれたウォームギア９６、９６、９６、９６が回転し、ウォームギア９６、９６、９６、９６からの駆動伝達を受けて、ウォームホイール９８、９８、９８、９８が回転し、ウォームホイール９８、９８、９８、９８が回転することで、各軸１００に設けられた搬送ロール７０、７０、７０、７０が図中に矢印で示すシートを略鉛直上方に搬送する方向に回転する。このように、駆動伝達系９０は、複数の搬送ロール７０に、同時に駆動を伝達するように構成されている。
【００３５】
図４には、支持手段として用いられ、各搬送ロール７０を支持する支持部材１１０が示されている。支持部材１１０は、筺体６２（図１、図２参照）内に移動可能に設けられていて、手前側支持板１１２と、奥側支持板１１４と、手前側支持板１１２と奥側支持板１１４とを連結する連結板１１６とを有している。手前側支持板１１２は、略鉛直方向に立設され、４個の貫通孔１１８、１１８、１１８、１１８が形成されている。手前側支持板１１２の上部には、係合部として用いられる突起１２０が設けられている。奥側支持板１１４には、各貫通孔１１８と同じ高さの位置に、貫通孔１２２、１２２、１２２、１２２が形成されている。
【００３６】
貫通孔１１８には、搬送ロール７０が取り付けられた軸１００の端部１００ｂがそれぞれ挿入される。貫通孔１２２には、軸１００の端部１００ｂと逆側の端部１００ａがそれぞれ挿入される。このように、軸１００がそれぞれ支持部材１１０に回動可能に支持されることで、搬送ロール７０が、支持部材１１０によって、それぞれ回動可能に支持される。
【００３７】
奥側支持板１１４の上端部と下端部には、手前側に突出するように突出部１２４、１２６がそれぞれ設けられている。突出部１２４、１２６には、それぞれ、略鉛直方向に貫通孔１２８、１３０が形成されている。支持部材１１０は、貫通孔１２８が回転軸９４の上端部９４ａが挿入され、貫通孔１３０に回転軸９４の下端部９４ｂが挿入されることで、筺体６２内に装着される。このように、支持部材１１０は、各搬送ロール７０を支持した状態で、回転軸９４に回動可能に支持される。すなわち、各搬送ロール７０は、第２の駆動伝達部材として用いられるウォームギア９６の回転軸９４を回動支点として回動して、筺体６２内を移動することが可能となっている。
【００３８】
図５には、開閉扉７６の構成と、開閉扉７６が開閉する状態とが示されている。開閉扉７６の軸８６と逆側の端部には、筺体６２に内側方向へ略水平に延びる支持板１３２が取り付けられていて、支持板１３２には、被係合部として用いられる溝１３４が形成されている。溝１３４には、支持部材１１０の手前側支持板１１２の上部に形成された突起１２０が挿入されている。図５（ａ）に示される開閉扉７６が閉じられた状態から開閉扉７６が操作者によって開かれると、溝１３４によって突起１２０が開閉扉７６の開く方向へと押圧される。突起１２０が押圧されると、突起１２０が溝１３４にガイドされて移動し、突起１２０が移動することで、支持部材１１０が回転軸９４を中心とする反時計回りの回動をする方向の力を受け、図５（ｂ）に示されるように開閉扉７６と連動して移動する。
【００３９】
このように、開閉扉７６は、各ウォームギア９６の回転軸９４とは離間した位置に設けられた軸８６を支点として支持されていて、支持部材１１０及び支持部材１１０に支持された搬送ロール７０の回動中心である回転軸９４とは異なる位置に設けられた軸８６を回動中心として回動し、開閉する。
【００４０】
開閉扉７６が閉じられた状態においては、図５（ａ）に示されるように搬送ロール７０は、対向ロール７２に当接する第１の位置に位置している。開閉扉７６が開かれると、図５（ｂ）に示されるように、搬送ロール７０は対向ロール７２から離間した第２の位置へと移動する。このように、画像形成装置１０においては、搬送ロール７０が対向ロール７２と離間した位置へ移動することができるように構成されているので、たとえ搬送ロール７０と対向ロール７２とで形成されるニップＮに挟まれた状態でシート搬送不良が生じたとしても、搬送ロール７０と対向ロール７２とを離間させることで、搬送不良が生じたシートを簡単に取り除くことができる。
【００４１】
搬送ロール７０は、上述のように開閉扉７６を開くことに連動して第２の位置へと移動し、開閉扉７６を閉じることに連動して第１の位置へと移動する。このため、搬送不良が生じたシートを除去する場合や搬送不良が生じたシートを除去した後に、開閉扉７６を開閉する操作の他に搬送ロール７０を移動させる操作を行う必要がなく、保守作業が簡単で行いやすい。
【００４２】
搬送ロール７０が第１の位置と第２の位置との間で移動しても、各ウォームギア９６とウォームホイール９８とは噛み合った状態のままである。すなわち、各ウォームホイール９８は、支持部材１１０により軸１００を介してウォームギア９６からの距離が変わらないように支持されていているため、搬送ロール７０が移動しても、各ウォームギア９６と各ウォームホイール９８とは噛み合ったままであり、搬送ロール７０は駆動伝達系９０に連結した状態に保たれる。このように搬送ロール７０と駆動伝達系９０とが連結した状態が保たれるため、駆動伝達系９０から各搬送ロール７０への駆動伝達が良好に行われる。これに対して、搬送ロール７０が第２の位置へと移動した場合に搬送ロール７０と駆動伝達系９０との連結が切断され、搬送ロール７０が第１の位置へと移動した場合に搬送ロール７０と駆動伝達系９０とが連結される構成を用いた場合、例えば搬送ロール７０が第１の位置に移動した際の駆動連結が良好になされず、シートが良好に搬送されない虞がある。
【産業上の利用可能性】
【００４３】
以上述べたように、本発明は、複写機、ファクシミリ、プリンタ等のシートに画像形成を行う画像形成装置と、主としてこれらに用いられるシート搬送装置及びシート供給装置に適用することができる。
【図面の簡単な説明】
【００４４】
【図１】本発明の実施形態に係る画像形成装置の概略構成を示す断面図である。正面である。
【図２】本発明の実施形態に係るシート供給装置の構成を模式的に示す斜視図である。
【図３】本発明の実施形態に係るシート供給装置の駆動伝達系を示す説明図である。
【図４】本発明の実施形態に係るシート供給装置に用いられ、搬送ロールを支持する支持部材を示す斜視図である。
【図５】本発明の実施形態に係るシート供給装置の図１におけるＡＡ断面を示し、図５（ａ）は開閉扉が閉じられた状態を示し、図５（ｂ）は開閉扉が閉じられた状態を示す断面図である。
【符号の説明】
【００４５】
１０    画像形成装置
１２    筺体
１４    画像形成手段
２８ 感光体
４６ プロセスカートリッジ
６０ 第２のシート供給装置
６２ 筺体
６４ シート供給カセット
６８ 搬送路
７０ 搬送ロール
７２ 対向ロール
７６ 開閉扉
８２ 突起
８４ 通過孔
８６    軸
９０    駆動伝達系
９２    駆動源
９４    回転軸
９６、９６、９６、９６    ウォームギア
９８、９８、９８、９８    ウォームホイール
１００、１００、１００、１００    軸
１１０    支持部材
１１２    手前側支持板
１１４    奥側支持板
１１６    連結板
１１８、１１８、１１８、１１８    貫通孔
１２０ 突起
１２２、１２２、１２２、１２２    貫通孔
１２４、１２６    突出部
１２８、１３０    貫通孔
１３４    溝
Ｎ        ニップ
【図１】
2008044712.tif 000003
【図２】
2008044712.tif 000004
【図３】
2008044712.tif 000005
【図４】
2008044712.tif 000006
【図５】
2008044712.tif 000007